(57)【要約】【課題】施工が容易で耐震性が向上すると共に、分解が容易で簡単に移動することができる耐震墓構造を提供するものである。【解決手段】棹石４の底部に突出部５を設け、ここに連結板１３の差し込み溝６を形成すると共に、突出部５にピン挿通孔７を形成し、この突出部５が挿着される凹部９を上台３の上部に形成し、この凹部９から上台３の底面に貫通する貫通孔１０Ａを形成すると共に、中台２および芝台１に貫通孔１０Ｂ、１０Ｃを上下方向に形成し、ピン孔１２を開孔した連結板１３を上部に取付け、下部にボルト部１４を形成した金属製連結棒１１を貫通孔１０Ａ〜１０Ｃに貫通し、連結板１３を突出部５の差し込み溝６に差し込んで連結ピン１６で連結し、下部のボルト部１４を角ワッシャ１７とスプリングワッシャ１８およびナット１９で固定して、棹石４を芝台２に連結したものである。【選択図】  図５
0003127986.tif 000002
【実用新案登録請求の範囲】
【請求項１】
棹石の底部に突出部を設け、この突出部の底面から縦方向に連結板の差し込み溝を形成すると共に、突出部にピン挿通孔を横方向に形成し、この突出部が挿着される凹部を、上台の上部中央に形成し、この凹部底面から上台の底面に貫通する貫通孔を形成し、この上台を支える中台または／および芝台に、前記貫通孔に連通する貫通孔を上下方向に形成し、ピン孔を開孔した連結板を上部に取付け、下部にボルト部を形成した金属製連結棒の連結板を、前記棹石の突出部に形成した差し込み溝に差し込んで、ピン孔とピン挿通孔に連結ピンを挿着して連結し、金属製連結棒を上台と中台または／および芝台の貫通孔に貫通して下部のボルト部をワッシャとナットで固定して、棹石を芝台に連結したことを特徴とする耐震墓構造。
【請求項２】
連結板と金属製連結棒、連結ピン、ワッシャおよびナットがステンレスで形成されていることを特徴とする請求項１記載の耐震墓構造。
【考案の詳細な説明】
【技術分野】
【０００１】
本考案は、耐震性を向上させた墓構造に関するものである。
【背景技術】
【０００２】
一般に墓石の構造は、芝台（下台）の上に、中台を重ね、この上に上台を重ね、一番上に棹石（墓標）を順次積み重ねた構造となっている。この構造では、夫々別個に加工したものを単に積み重ねたものであるため、大きな地震が発生すると、重心の高い棹石が動いたり転倒することがあった。
【０００３】
このため、上台の上部中心に縦溝を形成し、この上に重ねられる棹石の底部中心に前記縦溝と対向してこれと連通する縦溝を形成し、上台の縦溝に連結棒の下部側を挿着して接着剤で固定し、連結棒の上部側に接着剤を塗布して、前記棹石の底部中心に形成した縦溝の内側に連結棒の上部側から挿入し、棹石を下降させて上台の上に重ねて、上台と棹石を連結棒で連結して、地震の揺れに対して棹石の倒壊を防止していた（例えば特許文献１）。
【０００４】
この耐震構造では、上台の縦溝は上方に向かって開口しているので、接着剤を充填して連結棒の下部側を確実に固定することができるが、棹石の底部に形成した縦溝は下方に向かって開口しているので、接着剤を充填しても自重により流れ出してしまい、連結棒の上部側に塗布しても隙間を埋めることができず確実に固定することができなかった。
【０００５】
また従来の耐震構造では、接着剤で固定してしまうので、石材店で墓石を展示する場合には固定できず、展示している間に地震が発生すると、棹石が倒壊してしまう問題があった。また墓地に一旦、設置した後、移転する場合には、分解できないのでその運搬が面倒であった。
【特許文献１】実用新案登録第３０３１７４９号公報
【考案の開示】
【考案が解決しようとする課題】
【０００６】
本考案は上記問題を改善し、施工や分解が容易で、棹石を芝台に一体に連結して耐震性を向上させると共に、分解が容易で簡単に移動することができ、特に石材店で墓石を展示する場合や、一旦、設置した後、別の墓地に移転する場合にも好適な耐震墓構造を提供するものである。
【課題を解決するための手段】
【０００７】
本考案の請求項１記載の耐震墓構造は、棹石の底部に突出部を設け、この突出部の底面から縦方向に連結板の差し込み溝を形成すると共に、突出部にピン挿通孔を横方向に形成し、この突出部が挿着される凹部を、上台の上部中央に形成し、この凹部底面から上台の底面に貫通する貫通孔を形成し、この上台を支える中台または／および芝台に、前記貫通孔に連通する貫通孔を上下方向に形成し、ピン孔を開孔した連結板を上部に取付け、下部にボルト部を形成した金属製連結棒の連結板を、前記棹石の突出部に形成した差し込み溝に差し込んで、ピン孔とピン挿通孔に連結ピンを挿着して連結し、金属製連結棒を上台と中台または／および芝台の貫通孔に貫通して下部のボルト部をワッシャとナットで固定して、棹石を芝台に連結したことを特徴とするものである。
【０００８】
本考案の請求項２記載の耐震墓構造は、請求項１において、連結板と金属製連結棒、連結ピン、ワッシャおよびナットがステンレスで形成されていることを特徴とするものである。
【考案の効果】
【０００９】
本考案に係る請求項１記載の耐震墓構造によれば、墓地に設置する時に、金属製連結棒を用いて棹石と芝台を連結することにより、棹石の底面に一体に突出したブロック状の突出部が上台の凹部に嵌合し、更に棹石と上台、中台または／および芝台が連結されているので地震の横揺れや縦揺れに対しても倒壊を防止することができる。また石材店で墓石を展示する場合にも、販売する時にはナットを外して金属製連結棒を引き抜けば、分解して移動することができるので、展示場における耐震性も向上させることができる。更に墓地に一旦、設置した後に、別の墓地に移転するような場合にも、簡単に分解して移動することができる。
【００１０】
また請求項２記載の耐震墓構造によれば、連結板と金属製連結棒、連結ピン、ワッシャおよびナットがステンレスで形成されているので、錆びることなく耐久性に優れている。
【考案を実施するための最良の形態】
【００１１】
以下本考案の実施の一形態を図１ないし図５を参照して詳細に説明する。図１は耐震墓構造を示すもので、芝台１の上に中台２を重ね、この上に上台３を重ね、更にこの上に棹石４が順次重ねられている。棹石４の底部には図２、図３および図５に示すようにブロック状の突出部５が一体に形成され、この突出部５の中央に底面から縦方向に差し込み溝６が形成されている。また突出部５には左右に貫通するピン挿通孔７が横方向に形成されている。
【００１２】
また棹石４の下段に位置する上台３の上部中央には、図５に示すように前記ブロック状の突出部５が挿着される中空直方体状の凹部９が形成されている。更にこの凹部９の底面中央から上台３の底面中央に上下に貫通する断面円形の貫通孔１０Ａが開孔されている。また中台２にも上面中央から底面中央に上下に貫通する断面円形の貫通孔１０Ｂが開孔されている。更に芝台１にも、上面中央から底面中央に上下に貫通する断面円形の貫通孔１０Ｃが開孔され、各貫通孔１０Ａ、１０Ｂ、１０Ｃは直線上に配置されている。
【００１３】
また１１はステンレスで形成された金属製連結棒で、図４に示すように上部にピン孔１２を開孔したステンレス製の連結板１３を取付け、下部にボルト部１４が形成されている。なお図５において１６はステンレス製の連結ピン、１７はステンレス製の角ワッシャ、１８はステンレス製のスプリングワッシャ、１９はステンレス製のナットである。
【００１４】
上記構成の耐震墓構造を組立てる場合、先ず図５に示すように芝台１の上に中台２を重ね、この上に上台３を、貫通孔１０Ａ、１０Ｂ、１０Ｃが直線上に配置されるように重ねる。次に上台３の凹部９から、貫通孔１０Ａ、１０Ｂ、１０Ｃに金属製連結棒１１のボルト部１４を差し込んで、上部の連結板１３を上台３の上に突出させる。
【００１５】
次に図示しないクレーンで棹石４を吊り上げた状態で、底面に形成した突出部５の差し込み溝６に、金属製連結棒１１の上部に取付けた連結板１３を差し込む。この後、突出部５の側面のピン挿通孔７から連結ピン１６を横方向に挿入して、連結板１３のピン孔１２を貫通させて、金属製連結棒１１の上部を突出部５に連結する。この後、上台３の上面に接着剤を塗布してから、棹石４を下げて金属製連結棒１１の下部のボルト部１４を芝台１の底面から貫通させる。次に芝台１の底面から突出したボルト部１４に角ワッシャ１７とスプリングワッシャ１８を取付けてナット１９で締付けると、棹石４と芝台１が一体に連結される。
【００１６】
従って、墓地に設置する時に、棹石４の底面に一体に突出したブロック状の突出部５が上台３の凹部９に嵌合し、更に金属製連結棒１１を用いて棹石４と芝台１を連結することにより、棹石４と上台３、中台２および芝台１が一体に連結されるので、地震の横揺れや縦揺れに対しても倒壊を防止することができる。また石材店で墓石を展示する場合にも、同様に連結して耐震性を向上し、販売する時には角ワッシャ１７とスプリングワッシャ１８、ナット１９を外して金属製連結棒１１を引き抜けば、分解して移動することができる。更に墓地に一旦、設置した後に、別の墓地に移転するような場合にも、簡単に分解して移動することができる。
【００１７】
また連結板１３と金属製連結棒１１、連結ピン１６、角ワッシャ１７、スプリングワッシャ１８およびナット１９がステンレスで形成されているので、錆びることがなく耐久性に優れている。
【００１８】
なお上記説明では、芝台１の上に中台２、上台３、棹石４を重ねた構造について示したが、芝墓地に設置する墓石の場合には、中台２のない構造でも良い。また金属製連結棒１１は全体にボルト部１４を形成したものを用いても良い。
【図面の簡単な説明】
【００１９】
【図１】本考案の実施の一形態による耐震墓構造を示す側面図である。
【図２】図１の耐震墓構造を分解して示す正面図である。
【図３】図１の耐震墓構造を分解して示す側面図である。
【図４】図１の金属製連結棒を示す側面図である。
【図５】図２の耐震墓構造を分解して破断した状態を示す斜視図である。
【符号の説明】
【００２０】
１    芝台                                                  
２    中台                                                  
３    上台                                                  
４    棹石                                                  
５    突出部                                                
６    差し込み溝                                            
７    ピン挿通孔                                            
９    凹部                                                  
１０Ａ、１０Ｂ、１０Ｃ  貫通孔
１１  金属製連結棒                                          
１２  ピン孔                                                
１２  連結板                                                
１４  ボルト部                                              
１６  連結ピン                                              
１７  角ワッシャ
１８  スプリングワッシャ
１９  ナット        
【図１】
0003127986.tif 000003
【図２】
0003127986.tif 000004
【図３】
0003127986.tif 000005
【図４】
0003127986.tif 000006
【図５】
0003127986.tif 000007